(57)【要約】【課題】複数の記録媒体に同時に情報データを記録する場合に、これらが同じ設定に従って記録されたものであるか否かを容易に識別できるように記録する。【解決手段】記録装置は、同時記録モードにおいて複数の記録媒体に同時に記録される情報データの状態を、ユーザからの指示に応じて独立に設定する。記録装置は、設定された状態に応じて、同時記録モードにおいて記録される情報データを処理し、複数の記録媒体へ記録されるそれぞれの情報データの識別情報を生成し、処理された情報データと生成された識別情報を複数の記録媒体に記録する。ここで、同じ状態に設定された情報データには同じ識別情報が、異なる状態に設定された情報データには互いに異なる識別情報が生成され、記録される。【選択図】  図１
2014127882.tif 000002
【特許請求の範囲】
【請求項１】
同時記録モードにおいて複数の記録媒体に同時に記録される情報データの状態を、ユーザからの指示に応じて独立に設定する設定手段と、
前記設定手段により設定された状態に応じて、前記同時記録モードにおいて取得された情報データを処理する処理手段と、
前記同時記録モードにおいて、前記複数の記録媒体へ記録されるそれぞれの情報データの識別情報を生成する生成手段と、
前記同時記録モードにおいて、前記処理手段により処理された情報データと前記生成手段により生成された識別情報を前記複数の記録媒体に記録する記録手段と、を備え、
前記生成手段は、前記設定手段により同じ状態に設定された情報データには同じ識別情報を、前記設定手段により異なる状態に設定された情報データには互いに異なる識別情報を生成することを特徴とする記録装置。
【請求項２】
前記異なる識別情報は、識別情報の特定の部分が互いに異なることを特徴とする請求項１に記載の記録装置。
【請求項３】
前記生成手段は、前記識別情報の特定の部分以外を、前記取得された情報データに関して得られる付加情報に基づいて生成することを特徴とする請求項２に記載の記録装置。
【請求項４】
前記付加情報は、機器のシリアルナンバーを含むことを特徴とする請求項３に記載の記録装置。
【請求項５】
前記情報データは時間的に連続して記録されるデータであり、
前記記録手段は、記録媒体ごとに、前記情報データを記録されたデータの量または記録時間に基づいて分割して複数のファイルを生成し、生成された前記複数のファイルには同じ識別情報が付加されることを特徴とする請求項１乃至４のいずれか１項に記載の記録装置。
【請求項６】
前記情報データは動画データであり、前記状態は、動画の記録フォーマット、データレート、フレームの画素数の少なくともいずれかを含むことを特徴とする請求項１乃至５のいずれか１項に記載の記録装置。
【請求項７】
記録装置の制御方法であって、
設定手段が、同時記録モードにおいて複数の記録媒体に同時に記録される情報データの状態を、ユーザからの指示に応じて独立に設定する設定工程と、
処理手段が、前記設定工程において設定された状態に応じて、前記同時記録モードにおいて取得された情報データを処理する処理工程と、
生成手段が、前記同時記録モードにおいて、前記複数の記録媒体へ記録されるそれぞれの情報データの識別情報を生成する生成工程と、
記録手段が、前記同時記録モードにおいて、前記処理工程で処理された情報データと前記生成工程で生成された識別情報を前記複数の記録媒体に記録する記録工程と、を有し、
前記生成工程では、前記設定工程で同じ状態に設定された情報データには同じ識別情報を、前記設定工程で異なる状態に設定された情報データには互いに異なる識別情報を生成することを特徴とする記録装置の制御方法。
【請求項８】
請求項７に記載された記録装置の制御方法の各工程をコンピュータに実行させるためのプログラム。
【発明の詳細な説明】
【技術分野】
【０００１】
本発明は、同時に複数の動画を記録することが可能な記録装置およびその制御方法に関する。
【背景技術】
【０００２】
一般に、動画像信号や音声信号を記録媒体に記録する記録装置が知られている。近年では、メモリカードやＨＤＤなどのランダムアクセス、且つ、大容量の記録媒体に対して動画や音声を記録する家庭用のビデオカメラが登場しており、一般家庭に広く普及している。例えば、特許文献１には、家庭用のＤＶＤレコーダとして大容量のハードディスク（ＨＤＤ）を内蔵するとともにＤＶＤドライブを備えるハードディスクレコーダが記載されている。また、特許文献１に記載のハードディスクレコーダでは、ＨＤＤに一旦記録したテレビ番組などの動画信号や音声信号を、ＤＶＤドライブに装着されたＤＶＤに対してコピーする機能を有している。
【０００３】
一方、放送現場などでは、家庭用の撮影に比べ、記録した動画像信号に対して非常に高い信頼性が求められる。そこで、業務用途で用いるビデオカメラでは、複数の記録媒体に対して同一の動画を同時に記録する機能を有するものがある。この様に、複数の記録媒体に同じ動画を記録しておくことにより、一部の記録媒体に記録された動画が正しく再生されない場合、或いは、一部の記録媒体を紛失した場合でも、他の記録媒体から同じ動画を再生することができる。
【先行技術文献】
【特許文献】
【０００４】
【特許文献１】特開２００７−２８８５５７号公報
【発明の概要】
【発明が解決しようとする課題】
【０００５】
この様に、複数の記録媒体に対して同じ動画を同時に記録した場合、各記録媒体に対して同時に記録された動画を探すため、ユーザは、各動画を再生する必要が生じてしまい、大変手間がかかる。また、二つの記録媒体に同時に動画を記録する場合、ウエブ上へのアップロードや、編集用などに用いるため、一方のデータレートや画素数を他方よりも低くしておくことも考えられる。
【０００６】
本発明はこのような背景技術を鑑みてなされたものであり、複数の記録媒体に同時に動画や音声などの情報データを記録した場合に、これらが同じ設定に従って記録されたものであるか否かを容易に識別できるように記録することを目的とする。
【課題を解決するための手段】
【０００７】
上記の目的を達成するための本発明の一態様による記録装置は以下の構成を備える。すなわち、
同時記録モードにおいて複数の記録媒体に同時に記録される情報データの状態を、ユーザからの指示に応じて独立に設定する設定手段と、
前記設定手段により設定された状態に応じて、前記同時記録モードにおいて記録される情報データを処理する処理手段と、
前記同時記録モードにおいて、前記複数の記録媒体へ記録されるそれぞれの情報データの識別情報を生成する生成手段と、
前記同時記録モードにおいて、前記処理手段により処理された情報データと前記生成手段により生成された識別情報を前記複数の記録媒体に記録する記録手段と、を備え、
前記生成手段は、前記設定手段により同じ状態に設定された情報データには同じ値の識別情報を、前記設定手段により異なる状態に設定された情報データには互いに異なる値の識別情報を生成する。
【発明の効果】
【０００８】
本発明によれば、複数の記録媒体に同時に情報データを記録した場合に、これらが同じ設定に従って記録されたものであるか否かを容易に識別できるように記録することが可能となる。
【図面の簡単な説明】
【０００９】
【図１】本発明の実施形態における記録装置の構成を示すブロック図。
【図２Ａ】同時記録モードにおける動画の設定画面を示す図。
【図２Ｂ】同時記録モードにおける動画撮影時の画面を示す図。
【図３】付加情報と識別情報を示す図。
【図４】同時記録モードの処理を示すフローチャート。
【図５】同時記録モードの記録処理を示すフローチャート。
【発明を実施するための形態】
【００１０】
図１は、第１実施形態による記録装置としてのビデオカメラ１００の構成例を示すブロック図である。なお、ビデオカメラ１００は、ＡＶＣＨＤフォーマット（第１の記録方式）とＭＰ４フォーマット（第２の記録方式）の２つの記録フォーマットが選択可能で、これらのフォーマットに従い、撮像部１０１を介して入力された動画信号或いは音声信号を記録する。なお、ビデオカメラ１００は、これらの記録フォーマット以外の記録方式に従って動画や音声を記録する構成でもよい。
【００１１】
図１において、撮像部１０１は被写体を撮影し、動画像信号を生成して出力する。撮像部１０１は、ズームレンズやフォーカスレンズ等の光学系、ＣＭＯＳ等のイメージセンサ、アイリス、撮影した動画像信号をデジタル信号に変換するＡＤ変換器、撮影された動画像に必要な処理を施す処理回路等を含む。また、撮像部１０１は、制御部１０８から静止画撮影の指示が出力された場合、静止画撮影指示に対応したタイミングで１画面の静止画信号を生成し、メモリ１０２に記憶する。また、撮像部１０１は、最大で横１９２０画素×縦１０８０画素で、３０フレーム毎秒の動画を出力することができる。また、撮像部１０１は、後述のように、ユーザに設定された画素数、及びフレームレートに応じた形式の動画信号を出力する。
【００１２】
メモリ１０２は、撮像部１０１から出力された動画信号や静止画信号、その他のデータを記憶する。第１信号処理部１０３と第２信号処理部１０４は、それぞれ、撮像部１０１にて撮影された動画信号に対して、ＭＰＥＧ等の公知の符号化方式に従う符号化処理を施し、その情報量を圧縮する。また、第１信号処理部１０３と第２信号処理部１０４は、音声入力部１０６より入力された音声信号に対し、ＡＡＣなどの公知の符号化処理を施す。
【００１３】
ここで、第１信号処理部１０３と第２信号処理部１０４は、同時に動作することも可能である。例えば、第１信号処理部１０３でＡＶＣＨＤフォーマットに従う処理を行いながら、第２信号処理部１０４でＭＰ４に従う処理を行うことが可能である。或いは、第１信号処理部１０３と第２信号処理部１０４でそれぞれＭＰ４に従う処理を行い、出力する動画データのデータレートを異ならせることも可能である。また、第１信号処理部１０３と第２信号処理部１０４はそれぞれ、独立のハードウエア（ＡＳＩＣ）として構成することが可能であり、或いは、一つのハードウエアとして構成することも可能である。更に、第１信号処理部１０３と第２信号処理部１０４をソフトウエアの処理により実現することも可能である。第１信号処理部１０３と第２信号処理部１０４は、制御部１０８からの個別の制御信号（指示）に応じて、それぞれ独立に動作する。
【００１４】
第１信号処理部１０３と第２信号処理部１０４は、処理後の動画をメモリ１０２に保存するほか、制御部１０８から静止画撮影の指示があると、メモリ１０２に記憶された静止画信号に対してＪＰＥＧ等の公知の符号化処理を施し、メモリ１０２に保存する。また、第１信号処理部１０３と第２信号処理部１０４は、静止画や動画におけるサムネイル画像もメモリ１０２に保存する。これらの動画、静止画、サムネイルは、第１記録再生部１０９、第２記録再生部１１０により記録媒体１１２、記録媒体１１３に記録される。第１信号処理部１０３、第２信号処理部１０４は、再生モードにおいて、記録された動画ファイルや静止画ファイルを表示部１０５に再生する。さらに、第１信号処理部１０３、第２信号処理部１０４は、動画ファイルや静止画ファイルのサムネイル画像を表示部１０５にＩｎｄｅｘ表示して、再生したい画像ファイルをユーザに選択させることが可能である。
【００１５】
第１信号処理部１０３と第２信号処理部１０４は、制御部１０８からサムネイル生成の指示があった場合、記録されている動画ファイルや静止画ファイルのサムネイル画像を生成する。例えば、ＡＶＣＨＤフォーマットの動画ファイルの場合、動画信号を復号して先頭付近のフレーム画像データを縮小することによりサムネイル画像が生成される。また、ＭＰ４ファイルの場合、動画ファイル内に保存しているサムネイル画像データを復号することによりサムネイル画像が生成される。
【００１６】
第１信号処理部１０３、第２信号処理部１０４は、サムネイル画像を含むインデックス画面を表示部１０５に表示する。サムネイル画像を含むインデックス画面にてユーザにより再生したいファイルが選択された場合は、それに対応する動画ファイルや静止画ファイルが再生される。表示部１０５は、制御部１０８からの指示に従い、動画像や静止画像、各種の情報を表示する。表示部１０５は液晶パネル等、公知の表示装置を含む。
【００１７】
制御部１０８はマイクロコンピュータ（ＣＰＵ）やその他必要なメモリを有し、メモリ１０２に記憶されたプログラムに従い、操作部１０７からの指示に応じてビデオカメラ１００の各部の動作を制御する。操作部１０７は、電源スイッチ、動画像の撮影開始、停止を指示するトリガスイッチ、静止画撮影スイッチ、ズームスイッチ、再生スイッチ、メニュースイッチ等の各種のスイッチを備える。制御部１０８は、操作部１０７からのユーザの指示を受け付ける。なお、操作部１０７の一部はタッチパネルで構成され、表示部１０５に装着されるようにしてもよい。
【００１８】
第１記録再生部１０９は、制御部１０８からの指示に従い、記録媒体１１２に対して動画データや静止画データ、各種のデータを記録し、また、記録されている動画像データや静止画データなどを読み出す。記録媒体１１２はビデオカメラ１００の本体に内蔵されており、例えば、大容量のフラッシュメモリやハードディスク（ＨＤＤ）等のランダムアクセスな記録媒体である。第２記録再生部１１０は、制御部１０８からの指示に従い、記録媒体１１３に対して動画像データや静止画データ、各種のデータを記録し、また、記録されている動画データや静止画データなどを読み出す。
【００１９】
ここで、第１記録再生部１０９と第２記録再生部１１０は、ＦＡＴ等の公知のファイルシステムに従い、記録媒体１１２、１１３に記録した動画像信号や静止画信号、各種のデータをファイルとして管理する。記録媒体１１３はメモリカードやハードディスク（ＨＤＤ）等のランダムアクセス可能な記録媒体である。
【００２０】
本実施形態では、記録媒体１１３はフラッシュメモリを内蔵したメモリカードであり、着脱可能な記録媒体である。また、記録媒体１１３は、不図示の装着、排出機構により、ビデオカメラ１００に対してユーザが容易に装着、排出可能な構成である。また、第２記録再生部１１０は、装着された記録媒体１１３を保護するための不図示の蓋を備えている。ユーザは、蓋を開けることで、記録媒体１１３を装着、排出する。また、記録媒体１１３が装着された状態で蓋を閉めることで、後述の様に、動画像の記録が可能となり、記録中などに蓋を開けた場合は、動画記録を停止する。なお、本実施形態では、記録媒体１１２をビデオカメラ１００に内蔵された記録媒体、記録媒体１１３をビデオカメラ１００に着脱可能な記録媒体とするが、記録媒体１１２を記録媒体１１３と同様に、装着、排出可能な記録媒体としてもよい。すなわち、記録媒体１１２と記録媒体１１３は互いに独立した記録媒体であればよい。
【００２１】
出力部１１１は、撮像部１０１より得られる動画信号や再生された動画信号、音声信号などをビデオカメラ１００の外部機器に出力する。内部バス１１４は、ビデオカメラ１００の各部の間で、各種のデータやコマンドを転送するために用いられる。
【００２２】
次に、ビデオカメラ１００による基本的な撮影処理、及び再生処理について説明する。操作部１０７によりビデオカメラ１００の電源が投入されると、制御部１０８は各部を制御して、撮像部１０１により得られた動画信号に応じた被写体の動画像を表示部１０５に表示し、記録待機状態となる。ビデオカメラ１００では、内蔵の記録媒体１１２と、着脱可能な記録媒体１１３とに対して動画信号を記録し、再生することができる。撮影処理において、ユーザはビデオカメラ１００が後述する記録待機状態であるときに操作部１０７を操作して、これら二つの記録媒体のうちの何れか一つを記録先の記録媒体として選択する。
【００２３】
また、ユーザは、記録待機状態において、記録する動画の形式やフレームレート、画素数、及びデータレートを設定することができる。本実施形態では、記録する動画のフレームレートとして、３０ｆｐｓ（フレーム毎秒）と２４ｆｐｓの何れかを設定することができる。また、記録する動画の画素数として、横１９２０画素×縦１０８０画素と、横１２８０画素×縦７２０の何れかを設定することができる。また、記録する動画のデータレートとして、２４メガビット毎秒（Ｍｂｐｓ）、１７Ｍｂｐｓ、４Ｍｂｐｓの何れかを設定することができる。
【００２４】
なお、フレームレートや画素数、或いはデータレートとして、これら以外の値を設定できるようにしてもよい。また、フレームレートや画素数、或いはデータレートの全ての設定項目がユーザ設定可能である必要はない。たとえばこれら複数の設定項目の少なくとも一つをユーザが任意に設定できるようにしてもよい。また、これら複数の設定項目を対応づけておき、何れか一つをユーザが設定を更新した場合に、他の項目の設定が自動的に（連動して）更新されるようにしておいてもよい。制御部１０８は、選択された記録媒体や記録形式、フレームレート、画素数、データレートを示す情報を内部の不揮発性メモリに記憶する。
【００２５】
記録待機状態で、前述の様に記録先の記録媒体や記録形式、その他の設定項目が設定され、その後、操作部１０７により撮影開始の指示があると、制御部１０８は各部を制御し、記録先に設定された記録媒体への動画データの記録を開始する。撮像部１０１は、制御部１０８からの指示があると、動画信号を出力し、内部バス１１４を介してメモリ１０２に一旦記憶する。また、音声入力部１０６は、取得した音声信号をメモリ１０２に記憶する。
【００２６】
動画記録において、制御部１０８は、第１信号処理部１０３を用いて動画データ、音声データを生成する。第１信号処理部１０３は、制御部１０８の指示により、メモリ１０２に記憶された動画信号を符号化し、動画データとして、メモリ１０２に再度記憶させる。また、第１信号処理部１０３は、メモリ１０２から音声信号を読み出し、この音声信号を符号化して再度メモリ１０２に記憶させる。記録先として記録媒体１１２が選択されていた場合、制御部１０８は第１記録再生部１０９に対し、メモリ１０２から動画データと音声データを読み出し、記録媒体１１２に記録するように指示する。そして、操作部１０７により撮影停止の指示があると、制御部１０８は第１記録再生部１０９に対して、記録の停止を指示する。
【００２７】
また、本実施形態では、撮影開始の指示から撮影停止の指示までの間に記録された一連の動画データと音声データを一つのファイルとして管理する。また、ユーザにより記録指示の後、記録中のファイルが所定のサイズに達した場合、或いは、記録時間が所定の閾値の時間に達した場合、制御部１０８により動画と音声の記録が停止される。
【００２８】
また、制御部１０８は、記録形式がＭＰ４ファイル形式の場合、動画の記録開始時に、記録開始の先頭画面を静止画信号として処理し、メモリ１０２へ静止画データとして記憶するように、第１信号処理部１０３に指示する。そして、記録終了後に、メモリ１０２に記録された静止画データを読み出し、ＭＰ４ファイル形式の動画ファイルに格納して記録するように、第１記録再生部１０９、或いは第２記録再生部１１０に指示する。
【００２９】
また、記録待機状態において、操作部１０７により静止画撮影の指示があると、制御部１０８は撮像部１０１に対して静止画記録を指示する。撮像部１０１は静止画記録の指示に応じて１画面の静止画信号を生成し、メモリ１０２に記憶する。第１信号処理部１０３、第２信号処理部１０４は、制御部１０８からの静止画記録の指示に応じて、メモリ１０２に記憶された静止画信号を符号化し、再度メモリ１０２に記憶する。制御部１０８は、第１記録再生部１０９、第２記録再生部１１０のうち、静止画記録先として選択された記録媒体に、静止画データを記録するように制御する。また、本実施形態では、ＭＰ４動画像データと静止画像を、たとえばＤＣＦ（Design rule for Camera File system）規格に従って記録する。
【００３０】
次に、再生処理について説明する。操作部１０７により再生モードの指示があった場合、制御部１０８は、記録媒体１１２、１１３のうち、記録先として選択されている記録媒体に記録されている動画ファイルの代表画像（サムネイル）を含むインデックス画面を表示部１０５に表示する。ユーザは操作部１０７を操作し、表示部１０５に表示された各動画ファイルの代表画像から何れかを選択し、再生を指示する。再生が指示された場合、制御部１０８は、選択された代表画像に対応した動画ファイルを再生するように、第１記録再生部１０９、第２記録再生部１１０のうち選択された記録媒体に対応する記録再生部を制御する。
【００３１】
第１記録再生部１０９、第２記録再生部１１０は、制御部１０８からの指示により、指定された動画ファイルの一部を随時、記録媒体から読み出し、メモリ１０２に記憶する。第１信号処理部１０３はメモリ１０２から動画ファイルを読み出して復号し、再生された動画像データとして再度メモリ１０２に記憶する。表示部１０５はメモリ１０２から再生された動画データを読み出して表示する。操作部１０７より再生停止の指示があった場合、制御部１０８は動画ファイルの再生を停止し、再び、インデックス画面を表示部１０５に表示させる。操作部１０７より、静止画の再生処理が指示されると、制御部１０８は、同様に記録媒体に記録された各静止画ファイルの代表画像を含むインデックス画面を生成し、表示部１０５に表示する。制御部１０８は、ユーザに選択された代表画像に対応する静止画ファイルを記録媒体から再生し、表示部１０５に表示させる。
【００３２】
次に、同時記録モードについて説明する。本実施形態のビデオカメラ１００は、同時記録モードの機能を持つ。同時記録モードでは、記録媒体１１２と記録媒体１１３の二つの記録媒体に対して、ＡＶＣＨＤまたはＭＰ４の記録形式で、動画データと音声データを同時に記録することができる。例えば、一方の記録媒体にＡＶＣＨＤフォーマットの動画を記録し、他方の記録媒体にＭＰ４ファイル形式の動画を記録することができる。或いは、両方の記録媒体に同じ記録形式の動画、すなわちＡＶＣＨＤ形式、或いは、ＭＰ４ファイル形式の動画を記録することもできる。
【００３３】
また、本実施形態では、同時に記録される動画に関する、前述の設定項目を、それぞれ独立に設定することが可能である。例えば、一方の記録媒体に記録される動画のデータレートを２４Ｍｂｐｓに設定し、他方の記録媒体に記録される動画のデータレートを１７Ｍｂｐｓや４Ｍｂｐｓに設定することが可能である。ただし、フレームレートについては、独立に設定できず、各記録媒体に対して同じフレームレートの動画を記録するものとする。制御部１０８は、ユーザにより設定されたフレームレートに応じて撮像部１０１における撮像素子の駆動タイミングを変更する。そのため、本実施形態では、フレームレートについては、独立に設定できないものとする。なお、イメージセンサの駆動タイミングを変えずに、例えば、撮像部１０１からの動画の複数フレームを合成することで、所望のフレームレートを実現する方法を用いて、フレームレートを独立に設定できるようにしてもよい。
【００３４】
記録待機状態において、操作部１０７により同時記録モードの設定指示があった場合、制御部１０８は表示部１０５に対し、同時記録モードの設定画面を表示する。図２Ａ（ａ）は、同時記録モードの設定指示があったときに表示部１０５に表示される設定画面である。同時記録モードの設定指示があると、まず、図２Ａ（ａ）に示す、同時記録の有効／無効を設定できる画面２０１を表示部１０５へ表示する。ボタン２０１ａは、同時記録を有効にする場合に選択するボタン、ボタン２０１ｂは同時記録を無効にする場合に選択するボタンである。情報表示２０１ｃは、現在設定されている同時記録の情報、ボタン２０１ｄは、現在の設定を変更する場合に選択するボタン、ボタン２０１ｅは画面２０１を閉じるボタンである。
【００３５】
ユーザは、画面２０１で、ボタン２０１ａとボタン２０１ｂを操作することで同時記録の有効、無効を選択できる。また、同時記録が無効に設定された場合、その直前に設定されていた状態（有効から無効へ切り替えられた時点で情報表示２０１ｃに表示されていた同時記録の設定状態）が、制御部１０８の内部の不揮発メモリに保持される。情報表示２０１ｃで示した現在の設定は、左から順に記録フォーマット、フレームレート、記録モード（データレート）を示している。現在の設定を変更したい場合、ユーザは、ボタン２０１ｄを選択する。ボタン２０１ｄが選択されると、図２Ａ（ｂ）に示される選択画面２０２が表示部１０５へ表示される。
【００３６】
図２Ａ（ｂ）は、記録媒体毎に同時記録時の記録フォーマットを選択する選択画面２０２を示す。ボタン２０２ａは記録媒体１１２へのＡＶＣＨＤ記録の設定を指示するボタン、ボタン２０２ｂは記録媒体１１２へのＭＰ４記録の設定を指示するボタンである。また、ボタン２０２ｃは記録媒体１１３へのＡＶＣＨＤ記録の設定を指示するボタン、ボタン２０２ｄは記録媒体１１３へのＭＰ４記録の設定を指示するボタンである。ボタン２０２ｅは、画面２０１へ戻るボタン、ボタン２０２ｆは画面２０３（図２Ａ（ｃ））へ遷移するボタン、ボタン２０２ｇは、画面２０２を閉じるボタンである。このようなユーザインターフェースを用いることで、ユーザは、それぞれの記録媒体に記録するフォーマットをこのように自由に選択することが可能となる。本例では、それぞれの記録媒体に対して、ＡＶＣＨＤフォーマットの動画ファイルの記録とＭＰ４形式の動画ファイルの記録のいずれかを選択することが可能である。ユーザは、記録待機状態において、各記録媒体の記録フォーマットをいつでも変更することが可能である。
【００３７】
図２Ａ（ｃ）は、画面２０２にてボタン２０２ｆを押した後に表示部１０５に表示される画面である。ボタン２０３ａはフレームレートの設定を指示するボタンである。ボタン２０３ｂは記録媒体１１２の記録モード（データレート）の設定を指示するボタン、ボタン２０３ｃは記録媒体１１３の記録モード（データレート）の設定を指示するボタンである。ボタン２０３ｄは画面２０２へ戻るボタン、ボタン２０３ｆは同時記録の設定を完了し画面２０３を閉じるボタン、ボタン２０３ｇも画面２０３を閉じるボタンである。なお、本実施形態では、各記録モード（データレート）と、記録される動画の画素数とが対応づけられており、選択された記録モードに応じて画素数が決定される。例えば、２４Ｍｂｐｓと１７Ｍｂｐｓが選択された場合、画素数として横１９２０画素×縦１０８０画素が設定されるものとする。また、記録モードとして４Ｍｂｐｓが選択された場合、画素数として横１２８０×縦７２０画素が設定されるものとする。なお、画面２０３において、記録媒体１１２（図２Ａ（ｃ）では内蔵）と記録媒体１１３（図２Ａ（ｃ）ではＳＤカード）のそれぞれが図２Ａ（ｂ）の画面で、ＡＶＣＨＤとＭＰ４のいずれのフォーマットに設定されたかを明示するようにしてもよい。
【００３８】
図２Ｂ（ａ）、（ｂ）は、同時記録をＯＮに設定した時の記録待機状態における表示画面である。また、画面２０１にて同時記録をＯＮに設定したとしても、たとえば以下に述べる条件１〜条件６を全て満たしていないと同時記録は有効に設定されない。
（条件１）設定された記録フォーマットのシーン上限に達していない。
（条件２）ファイルシステムが不正ではない。
（条件３）記録媒体の残容量が所定値以上ある。
（条件４）着脱可能な記録媒体が存在する。
（条件５）着脱可能な記録媒体がプロテクトされていない。
（条件６）着脱可能な記録媒体を保護するための蓋が閉じられている。
【００３９】
図２Ｂ（ａ）は、同時記録がＯＮに設定され、かつ条件１〜６を満たしていた時に、表示部１０５に表示される画面２０４である。情報表示２０４ａは、記録媒体１１２の記録フォーマットがＭＰ４であり、記録可能時間が１時間２０分、記録モードが２４Ｍｂｐｓである事を示している。また、情報表示２０４ｂは、記録媒体１１３の記録フォーマットがＭＰ４であり、記録可能時間が３０分、記録モードが４Ｍｂｐｓである事を示している。画面２０４において、情報表示２０４ａと情報表示２０４ｂが共に表示されている時、同時記録が有効であることを示している。
【００４０】
図２Ｂ（ｂ）は、同時記録がＯＮと設定され、かつ条件１〜６の少なくとも一つを満たしていない場合に表示部１０５に表示される記録画面２０５である。記録画面２０５は、記録媒体１１３が条件１〜６の何れかを満たしていない場合の表示画面である。情報表示２０５ａは、条件１〜６を満たしているため記録が可能であることを示している。情報表示２０５ｂでは、記録媒体１１３について条件１〜６の全てを満たしていないため、記録可能時間やビットレートが表示されていない。ユーザは、条件１〜６を全て満たすように記録媒体１１３の状態を変えることにより、同時記録を有効に設定することができる。
【００４１】
制御部１０８は、第１記録再生部１０９、第２記録再生部１１０のそれぞれから必要な情報を取得し、取得した情報に基づいて、上述の条件を満たすかどうかを判別する。また、本実施形態では、各動画ファイルに対し、そのファイルを一意に特定するための識別情報を付加する。識別情報は１６バイトのデータである。第１の実施形態では、識別情報として、ISO/IEC 11578:1996 (Information technology - Open Systems Interconnection - Remote Procedure Call (RPC))に記載のＵＵＩＤ（Universally Unique Identifier）を使用する。また、この識別情報は、各動画ファイル内の所定の位置に格納される。例えば、ＭＰ４ファイル形式の動画ファイルにおいては、uuid Box（user-extension box）内に識別情報が格納される。
【００４２】
図４は、同時記録モードの処理を示すフローチャートである。図４の処理は、メモリ１０２に格納されたプログラムを制御部１０８が実行して各部を制御することにより実行される。前述のように、記録待機状態にて同時記録モードが有効に設定され、操作部１０７により記録開始の指示があった場合に、図４の処理が開始される。
【００４３】
なお、以下の説明においては、各記録媒体に記録される動画のファイル形式が異なっている場合は、ＡＶＣＨＤ形式の動画ファイルをメインの動画ファイルとし、ＭＰ４ファイル形式の動画ファイルをサブの動画ファイルとする。また、各記録媒体に記録される動画のファイル形式が同じで、データレートが異なっている場合、データレートが高い方の動画ファイルをメインの動画ファイルとし、データレートが低い方の動画ファイルをサブの動画ファイルとする。また、各記録媒体に記録される動画のファイル形式とデータレートが同じである場合には、予め定められた一方へ記録される動画ファイルをメインとする。本実施形態では、ビデオカメラ１００に内蔵された記録媒体１１２へ記録される動画ファイルがメインの動画ファイルになるものとする。
【００４４】
記録開始の指示があった場合、制御部１０８は、メインの動画ファイルの識別情報を生成する（Ｓ４０１）。次に、制御部１０８は、各記録媒体に記録される動画の記録形式、データレート及び画素数の設定状態が同じであるか否かを判別する（Ｓ４０２）。動画の設定状態が同じであった場合、二つの記録媒体に記録される動画ファイルの形式、及び、各動画ファイルに格納される動画データの状態が同じである。そのため、制御部１０８は、Ｓ４０１で生成したメイン側の動画ファイル識別情報と同じ識別情報を、サブ側の動画ファイルの識別情報として生成する（Ｓ４０３）。一方、二つの記録媒体に記録される動画の設定状態が異なっている場合、制御部１０８は、新たにサブ側の動画ファイルの識別情報を生成する（Ｓ４０４）。即ち、識別情報として、メインの動画ファイルのＵＵＩＤとは異なる値のＵＵＩＤがサブの動画ファイルのために生成される。
【００４５】
次に、制御部１０８は、各記録媒体上に新たに動画ファイルを作成し、それぞれに識別情報を記録する（Ｓ４０５）。続いて、制御部１０８は、撮像部１０１に対し、動画の設定状態に応じた動画を出力するように指示し、設定された記録形式に従う動画データと音声データとを各記録媒体に記録する（Ｓ４０６）。ここで、制御部１０８は、メイン側の動画の画素数と、サブ側の動画の画素数が異なっていた場合、１９２０×１０８０画素の動画を出力するように、撮像部１０１に指示する。
【００４６】
また、制御部１０８は、メイン側の動画の設定状態に従って動画の画素数を変更するように第１信号処理部１０３に指示する。また、制御部１０８は、メイン側の動画の設定状態に従って、符号化される動画データのデータレートを調整し、更に、記録形式を設定するように、第１信号処理部１０３に指示する。また、制御部１０８は、サブ側の動画の設定状態に従って動画の画素数を変更するように第２信号処理部１０４に指示する。また、制御部１０８は、サブ側の動画の設定状態に従って、符号化される動画データのデータレートを調整し、更に、記録形式を設定するように、第２信号処理部１０４に指示する。前述の様に、同時記録モードでは、第１信号処理部１０３と第２信号処理部１０４は同時に動画データを処理し、それぞれ処理済みの動画データをメモリ１０２に記憶する。制御部１０８は、第１記録再生部１０９、第２記録再生部１１０の各々に対し、メイン側の動画データ或いはサブ側の動画データ、及び、音声データを読み出し、それぞれ設定された記録形式に従って記録するように指示する。
【００４７】
その後、制御部１０８は、ユーザにより記録停止の指示があるまで記録を継続し、記録停止の指示があった場合（Ｓ４０７でＹＥＳ）、各記録媒体に対する動画ファイルの記録を停止する（Ｓ４０８）。なお、前述のように、Ｓ４０６の記録処理において、ユーザによる記録停止の指示が出力される前に、何れかの記録媒体に記録された動画ファイルのサイズが所定のサイズに達するか、或いは、記録時間が所定の閾値に達した場合、記録は停止される。
【００４８】
このように、本実施形態では、同時記録モードにおいて、同時に記録される動画の形式や設定状態が同じ場合、各動画ファイルには同じ識別情報が付加される。また、同時記録モードにおいて、同時に記録される動画の形式や設定状態が違う場合、各動画ファイルには別の識別情報が付加される。そのため、各記録媒体に記録された、同じ動画ファイルを容易に識別することができる。また、同時に記録された動画ファイルであっても、動画の設定状態が違っている場合には、別の識別情報が付加されるので、同時に記録された動画であっても、設定状態が違っている動画ファイルを、ユーザが間違えて同じものであると認識してしまうことが防止される。
【００４９】
＜第２実施形態＞
次に、第２実施形態について説明する。第２実施形態によるビデオカメラ１００の構成、並びに基本的な処理は第１の実施形態と同様である。第２の実施形態においては、各動画ファイルに付加される識別情報が第１の実施形態とは異なっている。
【００５０】
図３は、第２実施形態において記録される付加情報３０１と、識別情報３０２を示す図である。付加情報３０１は、以下の情報を含んでいる。
・シリアルナンバー（１６バイト）
・撮影日時（４バイト）
・総記録回数（４バイト）
・サブ情報（１バイト）
【００５１】
シリアルナンバーの情報は、製造元がビデオカメラ１００に個別に付与した番号を示す情報である。撮影日時の情報は、所定の日時からの経過時間を示す情報である。例えば、本実施形態では、撮影日時の情報は、１９７０年１月１日午前０時０分０秒からの経過時間を示している。総記録回数の情報は、ビデオカメラ１００が製造されてから操作部１０７による記録開始の指示が出力された延べ回数を示す情報である。サブ情報は、同時記録モードで記録された二つの動画ファイルの設定状態が同じであるか否かを示す情報である。例えば、同時記録モードで記録された二つの動画ファイルの設定状態が同じ場合にはサブ情報は所定値０が設定され、異なっていた場合にはサブ情報は所定値１が設定される。なお、サブ情報の値として、これらの値以外の所定値を設定することも可能である。また、通常の記録モードにおいては、サブ情報として所定値０が設定される。
【００５２】
識別情報３０２は１６バイトの情報である。本実施形態では、シリアルナンバーの０バイト目〜３バイト目と撮影日時（４バイト）、シリアルナンバーの４バイト目〜７バイト目と総記録回数（４バイト）、及び、シリアルナンバーの８バイト目とサブ情報（１バイト）を、各々排他的論理和演算する。この排他的論理和演算により得られた９バイトのデータと、シリアルナンバーの９バイト目〜１５バイト目とからなる、１６バイトのデータを識別情報３０２とする。
【００５３】
図３において、識別情報３０２のうち、斜線で示す部分が、シリアルナンバーの９バイト目〜１５バイト目のデータをそのまま用いる部分である。また、識別情報３０２のうち、斜線部分以外の部分は、前記の排他的論理和演算により得られたデータである。
【００５４】
このように、付加情報３０１のうち、サブ情報以外は、同時記録モードで記録された二つの動画ファイルの設定状態が同じであるか否かに関わらず、同じ値となる。そのため、識別情報３０２は、同時記録モードで記録された二つの動画ファイルの設定状態が同じ場合には、全く同じ値となる。また、同時記録モードで記録された二つの動画ファイルの設定状態が異なっている場合、識別情報３０２における８バイト目の値が異なる。
【００５５】
次に、第２実施形態における同時記録の処理を説明する。図５は、図４のＳ４０６における記録処理を示すフローチャートである。なお、本実施形態では、図４のＳ４０１において、図３に示す識別情報３０２が生成される。また、図４のＳ４０４においては、図３のサブ情報を１に設定することにより、サブ側の識別情報３０２が生成される。
【００５６】
また、第２実施形態では、同時記録において、動画の記録中に動画ファイルのサイズが所定のサイズに達するか、或いは、記録時間が所定の閾値に達した場合に、記録中のファイルをクローズし、新たに動画ファイルを生成して記録を続ける。第２実施形態では、ファイル分割のための所定のサイズを、ファイルシステムにより規定されたサイズに基づいて決定する。例えば、ＦＡＴ３２の場合、ファイルサイズの上限が４ＧＢ（ギガバイト）であるので、ファイル分割のための所定のサイズは、４ＧＢよりも少ない所定サイズとする。また、本実施形態では、ファイル分割のための記録時間の閾値を３０分とする。
【００５７】
図５の処理は、各記録媒体に対する記録処理についてそれぞれ独立に実行される。図５において、記録が開始されると、前述のように、第１信号処理部１０３と第２信号処理部１０４によりそれぞれ処理された動画データと音声データがメモリ１０２に記憶される。そして、制御部１０８は、メモリ１０２に記憶された、未記録の動画データと音声データのサイズが、書き込みのための閾値に達して、記録タイミングとなったか否かを判別する（Ｓ５０１）。
【００５８】
記録タイミングでなかった場合には、記録媒体への記録を行わず、図４のＳ４０７に進む。また、記録タイミングとなった場合、制御部１０８は、メモリ１０２より未記録のデータを読み出し、記録するように、第１記録再生部１０９或いは第２記録再生部１１０に指示する。この指示を受けた第１記録再生部１０９或いは第２記録再生部１１０は、メモリ１０２よりデータを読み出し、記録媒体１１２或いは１１３に記録する（Ｓ５０２）。本実施形態では、各記録媒体の記録データレートは、符号化された動画データと音声データのデータレートよりも高い。そのため、記録媒体へのデータの書き込みが開始されると、メモリ１０２に記憶された未記録データのデータ量が減っていく。そして、メモリ１０２に記憶された未記録のデータのデータ量が書き込み停止のための閾値よりも少なくなった場合に、制御部１０８は、記録媒体に対する書き込みを停止するように、第１記録再生部１０９、第２記録再生部１１０のそれぞれに指示する。
【００５９】
このように、１回の書き込みが完了した後、制御部１０８は、記録媒体１１２、或いは記録媒体１１３に現在記録中の動画ファイルのサイズが、ファイル分割のための閾値のサイズに達したか否かを判別する（Ｓ５０３）。動画ファイルのサイズが、ファイル分割のための閾値のサイズに達していた場合、制御部１０８は、現在記録中のファイルをクローズし（Ｓ５０５）、新たにファイルを作成するように、第１記録再生部１０９又は第２記録再生部１１０に指示する（Ｓ５０６）。そして、制御部１０８は、新たに作成された動画ファイルに、付加情報３０１と識別情報３０２を格納するように、第１記録再生部１０９または第２記録再生部１１０に指示する（Ｓ５０７）。
【００６０】
ここで、クローズしたファイルがメイン側の動画ファイルであった場合、メイン側の識別情報３０２が記録される。また、クローズしたファイルがサブ側の動画ファイルであった場合、サブ側の識別情報３０２が記録される。また、ユーザによる記録開始の指示から、記録停止の指示までの間に生成される１以上の動画ファイルに対し、同じ付加情報３０１が付加されて記録される。例えば、メインの動画ファイルが記録される記録媒体に対しては、サブ情報として０が設定された付加情報３０１が記録され、サブの動画ファイルが記録される記録媒体に対しては、サブ情報として１が設定された識別情報３０２が記録される。
【００６１】
なお、同時記録モードにて記録される動画データのデータレートが違う場合、記録される動画ファイルのサイズが、ファイル分割の閾値に達するタイミングは互いに異なるため、図５の処理は各記録媒体に対して独立に実行されることになる。
【００６２】
また、Ｓ５０３において、記録中の動画ファイルのサイズが、ファイル分割の閾値のサイズに達していない場合、制御部１０８は、現在記録中の動画ファイルの記録を開始してから、所定の時間に達したか否かを判別する（Ｓ５０４）。動画ファイルの記録時間が所定時間に達していない場合、制御部１０８は、図４のＳ４０７に進む。また、動画ファイルの記録時間が所定時間に達した場合には、制御部１０８は、上述のように、現在記録中のファイルをクローズし（Ｓ５０５）、新たにファイルを作成するように、第１記録再生部１０９又は第２記録再生部１１０に指示する（Ｓ５０６）。そして、制御部１０８は、新たに作成された動画ファイルに、付加情報３０１と識別情報３０２を格納するように、第１記録再生部１０９または第２記録再生部１１０に指示する（Ｓ５０７）。識別情報や付加情報については上述したとおりである。
【００６３】
以上のように、第２実施形態では、同時記録モードで記録された二つの動画ファイルの設定状態が同じ場合には、全く同じ値となり、二つの動画ファイルの設定状態が異なっている場合、その一部が異なる識別情報が記録される。そのため、識別情報を確認することで、容易に、同時記録モードで各記録媒体に記録された動画ファイルを識別することができる。更に、同時に記録された動画ファイルの設定状態が同じであったか否かということも、動画ファイルに格納された動画データを再生すること無く、容易に識別することが可能となる。
【００６４】
なお、上述の各実施形態では、同時に記録される動画の状態をユーザの指示により記録媒体ごとに独立に任意に設定する構成だったが、これに限られるものではない。たとえば、時間的に連続する情報データであれば上記構成を適用することが可能であり、たとえば音声データについても、同様にユーザの指示により状態を設定できるようにしてもよい。たとえば、ＭＰ３、ＷＡＶ、ＡＡＣなどのオーディオファイルフォーマットを記録媒体ごとに設定可能とすれば、各記録媒体に異なるフォーマットのオーディオファイルが同時に記録されるようにすることができる。
【００６５】
なお、制御部１０８による装置全体の制御は、１つのハードウエアが行ってもよいし、複数のハードウエアが処理を分担することで行ってもよい。
【００６６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６７】
また、上述した実施形態においては、本発明をビデオカメラに適用した場合を例にして説明したが、本発明はこの例に限定されるものではない。すなわち、本発明はパーソナルコンピュータやＰＤＡ、携帯電話端末や携帯型の電子機器など、複数の記録媒体へ画像を同時に記録するように制御可能な電子機器であれば適用可能である。
【００６８】
本発明は、以下の処理を実行することによっても実現される。即ち、上述した実施形態の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014127882.tif 000003
【図２Ａ】
2014127882.tif 000004
【図２Ｂ】
2014127882.tif 000005
【図３】
2014127882.tif 000006
【図４】
2014127882.tif 000007
【図５】
2014127882.tif 000008